【手続補正書】
【提出日】平成25年6月6日(2013.6.6)
【手続補正１】
【補正対象書類名】特許請求の範囲
【補正対象項目名】請求項１
【補正方法】変更
【補正の内容】
【請求項１】
パネル本体と、
前記パネル本体から突出した端部が上段の前記パネル本体の背面に当接して上段の前記パネル本体の背面を押さえ、前記パネル本体から突出した端部が下段の前記パネル本体の背面に当接して下段の前記パネル本体の背面を押さえて、上段の前記パネル本体を下段の前記パネル本体上に自立させる、前記パネル本体に設けられた連結部材と、
前記連結部材により自立させられて斜めに積み上げられた前記パネル本体の背面を埋める層が積層されてなる裏込部と、
前記連結部材によって自立させられた前記パネル本体がその表面側へ向けて受ける側圧に対向できる高さの範囲内でその背面が前記裏込部の層で埋められる際に、上段の前記パネル本体に設けられた少なくとも一部がその層と共に埋められて固定される、前記パネル本体の背面側または背面下方側に突出して設けられた突出部と
を備える壁面構造。
【手続補正２】
【補正対象書類名】特許請求の範囲
【補正対象項目名】請求項２
【補正方法】変更
【補正の内容】
【請求項２】
下段のパネル本体に設けられた連結部材の下段の前記パネル本体から突出した端部が上段のパネル本体の背面に当接して上段の前記パネル本体の背面を押さえ、上段のパネル本体に設けられた連結部材の上段の前記パネル本体から突出した端部が下段の前記パネル本体の背面に当接して下段の前記パネル本体の背面を押さえて、上段の前記パネル本体を下段の前記パネル本体上に自立させる第１工程と、
前記連結部材によって自立させられた前記パネル本体がその表面側へ向けて受ける側圧に対向できる高さの範囲内でその背面を裏込部の層によって埋めて、上段の前記パネル本体の背面側または背面下方側に突出して設けられた突出部の少なくとも一部をその層と共に埋めて固定する第２工程と
を繰り返して、前記パネル本体の背面を裏込部の層によって埋めながら前記パネル本体を複数段斜めに積み上げて壁面を構築する壁面構築方法。
【手続補正３】
【補正対象書類名】特許請求の範囲
【補正対象項目名】請求項３
【補正方法】変更
【補正の内容】
【請求項３】
パネル本体と、
前記パネル本体から突出した端部が下段の前記パネル本体の背面に当接して下段の前記パネル本体の背面を押さえる、前記パネル本体に設けられた連結部材と、
前記パネル本体の上部および下部に付けられた段差を係合させて、または、前記パネル本体の上部および下部に部材を差し込んで、下段の前記パネル本体の上部と上段の前記パネル本体の下部とを係合する係合部と、
前記連結部材および前記係合部により上段の前記パネル本体が下段の前記パネル本体上に自立させられて斜めに積み上げられた前記パネル本体の背面を埋める層が積層されてなる裏込部と、
前記連結部材および前記係合部によって自立させられた前記パネル本体がその表面側へ向けて受ける側圧に対向できる高さの範囲内でその背面が前記裏込部の層で埋められる際に、上段の前記パネル本体に設けられた少なくとも一部がその層と共に埋められて固定される、前記パネル本体の背面側または背面下方側に突出して設けられた突出部と
を備える壁面構造。
【手続補正４】
【補正対象書類名】特許請求の範囲
【補正対象項目名】請求項４
【補正方法】変更
【補正の内容】
【請求項４】
下段のパネル本体の上部に付けられた段差と上段のパネル本体の下部に付けられた段差とを係合させる係合部により、または、下段のパネル本体の上部と上段のパネル本体の下部とに部材を差し込む係合部により、下段の前記パネル本体の上部と上段の前記パネル本体の下部とを係合させると共に、上段の前記パネル本体から突出して設けられた連結部材の端部を下段の前記パネル本体の背面に当接させて下段の前記パネル本体の背面を押さえることで、上段の前記パネル本体を下段の前記パネル本体上に自立させる第１工程と、
前記係合部および前記連結部材によって自立させられた前記パネル本体がその表面側へ向けて受ける側圧に対向できる高さの範囲内でその背面を裏込部の層によって埋めて、上段の前記パネル本体の背面側または背面下方側に突出して設けられた突出部の少なくとも一部をその層と共に埋めて固定する第２工程と
を繰り返して、前記パネル本体の背面を裏込部の層によって埋めながら前記パネル本体を複数段斜めに積み上げて壁面を構築する壁面構築方法。
【手続補正５】
【補正対象書類名】明細書
【補正対象項目名】０００６
【補正方法】変更
【補正の内容】
【０００６】
本発明はこのような課題を解決するためになされたもので、
パネル本体と、
パネル本体から突出した端部が上段のパネル本体の背面に当接して上段のパネル本体の背面を押さえ、パネル本体から突出した端部が下段のパネル本体の背面に当接して下段のパネル本体の背面を押さえて、上段のパネル本体を下段のパネル本体上に自立させる、パネル本体に設けられた連結部材と、
連結部材により自立させられて斜めに積み上げられたパネル本体の背面を埋める層が積層されてなる裏込部と、
連結部材によって自立させられたパネル本体がその表面側へ向けて受ける側圧に対向できる高さの範囲内でその背面が裏込部の層で埋められる際に、上段のパネル本体に設けられた少なくとも一部がその層と共に埋められて固定される、パネル本体の背面側または背面下方側に突出して設けられた突出部と
を備えて壁面構造を構成した。
【手続補正６】
【補正対象書類名】明細書
【補正対象項目名】０００７
【補正方法】変更
【補正の内容】
【０００７】
また、本発明は、
下段のパネル本体に設けられた連結部材の下段のパネル本体から突出した端部が上段のパネル本体の背面に当接して上段のパネル本体の背面を押さえ、上段のパネル本体に設けられた連結部材の上段のパネル本体から突出した端部が下段のパネル本体の背面に当接して下段のパネル本体の背面を押さえて、上段のパネル本体を下段のパネル本体上に自立させる第１工程と、
連結部材によって自立させられたパネル本体がその表面側へ向けて受ける側圧に対向できる高さの範囲内でその背面を裏込部の層によって埋めて、上段のパネル本体の背面側または背面下方側に突出して設けられた突出部の少なくとも一部をその層と共に埋めて固定する第２工程と
を繰り返して、パネル本体の背面を裏込部の層によって埋めながらパネル本体を複数段斜めに積み上げて壁面を構築する壁面構築方法を構成した。
【手続補正７】
【補正対象書類名】明細書
【補正対象項目名】０００８
【補正方法】変更
【補正の内容】
【０００８】
本構成によれば、連結部材によって下段のパネル本体上に自立させられた上段のパネル本体がその表面側へ向けて受ける側圧に対向できる高さの範囲内でその背面が裏込部の層で埋められる際に、上段のパネル本体の背面側または背面下方側に突出して設けられた突出部の少なくとも一部がその層と共に埋められて固定される。このため、下段のパネル本体上に上段のパネル本体を連結部材により自立させてパネル本体を積み上げ、積み上げた上下のパネル本体の背面を裏込部の層で埋める際、上下のパネル本体の背面を裏込部の層で埋める作業を行うだけで、上段のパネル本体がその背面側または背面下方側に突出して設けられた突出部によって裏込部の層に固定されるので、従来の、結合片にアンカーの一端部を揺動可能に取り付けて、アンカーの他端部を裏込めコンクリートの打設層中に設置する作業工程は不要になる。また、壁面構造を構築する際、各パネル本体は連結部材によって互いに係合されて自立させられるので、パネル本体を支持するサポート材が必要とされず、サポート材を施工する作業工程も不要になる。この結果、壁面構造を構築する作業工程が簡略化されるので、施工期間が短縮され、施工コストが抑制される。また、連結部材により互いに係合されて複数段斜めに積み上げられたパネル本体は自立するので、パネル本体の背面に埋める裏込部の厚さを自由に調節できる。従って、裏込部の厚さを確保するスペースがあまりない狭い場所でも、容易に壁面構造を構築することができる。
【手続補正８】
【補正対象書類名】明細書
【補正対象項目名】０００９
【補正方法】変更
【補正の内容】
【０００９】
また、本発明は、
パネル本体と、
パネル本体から突出した端部が下段のパネル本体の背面に当接して下段のパネル本体の背面を押さえる、パネル本体に設けられた連結部材と、
パネル本体の上部および下部に付けられた段差を係合させて、または、パネル本体の上部および下部に部材を差し込んで、下段のパネル本体の上部と上段のパネル本体の下部とを係合する係合部と、
連結部材および係合部により上段のパネル本体が下段のパネル本体上に自立させられて斜めに積み上げられたパネル本体の背面を埋める層が積層されてなる裏込部と、
連結部材および係合部によって自立させられたパネル本体がその表面側へ向けて受ける側圧に対向できる高さの範囲内でその背面が裏込部の層で埋められる際に、上段のパネル本体に設けられた少なくとも一部がその層と共に埋められて固定される、パネル本体の背面側または背面下方側に突出して設けられた突出部と
を備えて壁面構造を構成した。
【手続補正９】
【補正対象書類名】明細書
【補正対象項目名】００１０
【補正方法】変更
【補正の内容】
【００１０】
また、本発明は、
下段のパネル本体の上部に付けられた段差と上段のパネル本体の下部に付けられた段差とを係合させる係合部により、または、下段のパネル本体の上部と上段のパネル本体の下部とに部材を差し込む係合部により、下段のパネル本体の上部と上段のパネル本体の下部とを係合させると共に、上段のパネル本体から突出して設けられた連結部材の端部を下段のパネル本体の背面に当接させて下段のパネル本体の背面を押さえることで、上段のパネル本体を下段のパネル本体上に自立させる第１工程と、
係合部および連結部材によって自立させられたパネル本体がその表面側へ向けて受ける側圧に対向できる高さの範囲内でその背面を裏込部の層によって埋めて、上段のパネル本体の背面側または背面下方側に突出して設けられた突出部の少なくとも一部をその層と共に埋めて固定する第２工程と
を繰り返して、パネル本体の背面を裏込部の層によって埋めながらパネル本体を複数段斜めに積み上げて壁面を構築する壁面構築方法を構成した。
【手続補正１０】
【補正対象書類名】明細書
【補正対象項目名】００１１
【補正方法】変更
【補正の内容】
【００１１】
本構成によれば、係合部および連結部材によって下段のパネル本体上に自立させられた上段のパネル本体がその表面側へ向けて受ける側圧に対向できる高さの範囲内でその背面が裏込部の層で埋められる際に、上段のパネル本体の背面側または背面下方側に突出して設けられた突出部の少なくとも一部がその層と共に埋められて固定される。このため、下段のパネル本体上に上段のパネル本体を係合部および連結部材により自立させてパネル本体を積み上げ、積み上げた上下のパネル本体の背面を裏込部の層で埋める際、上下のパネル本体の背面を裏込部の層で埋める作業を行うだけで、上段のパネル本体がその背面側または背面下方側に突出して設けられた突出部によって裏込部の層に固定されるので、従来の、結合片にアンカーの一端部を揺動可能に取り付けて、アンカーの他端部を裏込めコンクリートの打設層中に設置する作業工程は不要になる。また、壁面構造を構築する際、各パネル本体は係合部および連結部材によって互いに係合されて自立させられるので、パネル本体を支持するサポート材が必要とされず、サポート材を施工する作業工程も不要になる。この結果、壁面構造を構築する作業工程が簡略化されるので、施工期間が短縮され、施工コストが抑制される。また、連結部材はパネル本体の一方にのみ設けられるので、壁面を構成する部品点数が少なくなり、壁面を構築する施工コストが抑制される。また、係合部および連結部材により互いに係合されて複数段斜めに積み上げられたパネル本体は自立するので、パネル本体の背面に埋める裏込部の厚さを自由に調節できる。従って、裏込部の厚さを確保するスペースがあまりない狭い場所でも、容易に壁面構造を構築することができる。また、パネル本体の上部および下部に付けられた段差が係合させられる場合には、上段のパネル本体と下段のパネル本体との間の噛み合いによって止水性が向上するので、パネル本体の背面に埋められた裏込部の構成材料がパネル本体の前面に流出するのを防ぐことができる。